(57)【特許請求の範囲】
【請求項１】
筒状の竿体の竿元側に取り付けられる尻栓の構造であって、
竿体の竿元側端部内周面に設けられた雌ネジ部材と、
前記雌ネジ部材に螺合する雄ネジ部と、前記雄ネジ部の前記竿元側に前記雄ネジ部より小径に形成された首部と、前記首部の前記竿元側に設けられ外径が前記竿体の前記竿元側外周面とほぼ一致するネジ頭とを有する尻栓本体と、
前記首部に貫通した状態で前記雄ネジ部と前記ネジ頭との間に配置されたリング状部材であり、前記ネジ頭側から前記雄ネジ部側にかけて外径が徐々に小径化しているリングとを備え、
前記リングの前記雄ネジ部側外径は前記雄ネジ部外径より小径であり、前記リングの前記ネジ頭側外径は前記雌ネジ部材の内径より大径であり、
前記リングは、前記雌ネジ部材と前記尻栓本体との間にくい込んでいくものである
ことを特徴とする釣竿の尻栓構造。
【請求項２】
前記雌ネジ部材は、前記竿体の内周面に直接ネジ山が形成された雌ネジ部である
ことを特徴とする請求項１に記載の釣竿の尻栓構造。
【発明の詳細な説明】
【０００１】
【発明の属する技術分野】
本発明は釣竿を構成する竿体の竿元側端面に取り付けられる尻栓の構造に関する。
【０００２】
【従来の技術】
図６及び図７に示すように、従来の竿体５０は、炭素繊維等の強化繊維に合成樹脂を含浸させたプリプレグから成る筒状の部材であり、竿元側端部に雌ネジ部５１を有している。そして、この雌ネジ部５１に脱着自在に尻栓６０が螺合している。尻栓６０は、雌ネジ部５１に螺合する雄ネジ部６１と、雄ネジ部６１の竿元側に連続して形成され雄ネジ部６１の竿元側に設けられ外径が竿体５１の外径と一致するように形成されたネジ頭６２とを有している。そして、このネジ頭６２の雄ネジ部６１側にはO字型のリング６３が配置されている。このリング６３はその断面も円状であり、例えば、ステンレスやアルミニウム等の金属，合金や合成樹脂から成る。
【０００３】
尻栓６０を竿体５０に装着する場合、雄ネジ部６１を雌ネジ部５１に徐々にねじ込んでゆくと、最後にリング６３が尻栓６０と竿体５０との間に滑り込むように入込する。そして、尻栓６０を竿体５０に十分に固着させて尻栓６０の周方向回転トルクを増大させて周方向緩みを防止している。
【０００４】
【発明が解決しようとする課題】
従来の尻栓構造では、尻栓６０が竿体５０に螺合する最後の状態でリング６３が尻栓６０と竿体５０との間に挟み込まれるので、尻栓６０を竿体５０に螺合させていると最後に急激に回転トルクが増大する。このため、尻栓６０を最後まで取り付けにくいばかりでなく、取付後尻栓６０が多少でも緩むと急激に回転トルクが減少してしまい、尻栓６０が緩みやすい。特に釣竿においては、釣人はこの尻栓部分を身体の一部に当てながら釣りをおこなうことが多く尻栓が回転しやすいので、このような回転トルクの急激な減少を抑えたい。
【０００５】
本発明の課題は、取り付けやすく緩みにくい釣竿の尻栓構造を提供することにある。
【０００６】
【課題を解決するための手段】
発明１に係る構造は、筒状の竿体の竿元側に取り付けられる尻栓の構造であって、竿体の竿元側端部内周面に設けられた雌ネジ部材と、雌ネジ部材に螺合する雄ネジ部と、前記雄ネジ部の前記竿元側に前記雄ネジ部より小径に形成された首部と、前記首部の前記竿元側に設けられ外径が前記竿体の前記竿元側外周面とほぼ一致するネジ頭とを有する尻栓本体と、首部に貫通した状態で尻栓本体の雄ネジ部とネジ頭との間に配置されたリング状部材であり、ネジ頭側から雄ネジ部側にかけて外径が徐々に小径化しているリングとを備え、前記リングの前記雄ネジ部側外径は前記雄ネジ部外径より小径であり、前記リングの前記ネジ頭側外径は前記雌ネジ部材の内径より大径であり、前記リングは、前記雌ネジ部材と前記尻栓本体との間にくい込んでいくものであることを特徴とする。
【０００７】
尻栓本体を竿体に取り付ける場合に、雌ネジ部に尻栓本体の雄ネジ部を螺合させつつ尻栓本体を竿体内部に挿入してゆくと、雌ネジ部の竿元側端面に徐々にリング外周面が当接してゆく。リングの外周はネジ頭側ほど外径が大径になるテーパーであり、尻栓本体の雌ネジ部に対する螺合の程度に応じてリングの竿体・尻栓本体間へのくい込み度合いは増大する。即ち、尻栓本体の雌ネジ部への螺合の程度に応じて徐々に尻栓本体の回転トルクは増大する。この結果、尻栓本体は竿体に取り付けやすく、またすぐに緩みにくい。
【０００８】
この場合には、リングが尻栓本体の首部に安定した状態で配置されているので、尻栓本体の竿体への脱着作業がより容易になる。
【０００９】
この場合には、リングの雄ネジ部側端部外径が雄ネジ部外径より小径であるので、リングが容易に尻栓本体と竿体との隙間に滑り込む。また、リングのネジ頭側外径は雌ネジ部材の内径より大径であり尻栓本体と竿体とを十分に固着させて、尻栓本体の回転トルクを十分に増大させる。
【００１０】
発明２に係る構造は、発明１の構造であって、雌ネジ部材は竿体の内周面に直接ネジ山が形成された雌ネジ部であることを特徴とする。この場合には、雌ネジ部材が竿体に直接形成されており、雌ネジ部材の強度が向上する。
【００１１】
【発明の実施の形態】
［第１実施形態］
以下、本発明の第１実施形態について図面を参照しつつ説明する。
本発明の第１実施形態を採用した中通し竿は、図１に示すように、元竿１と、元竿１の穂先側に連結された元上竿２と、元上竿２の穂先側に連結された第１中竿３，第２中竿４と、第２中竿４の穂先側に連結された穂先竿５とを有している。これら元竿１〜穂先竿５は炭素繊維またはガラス繊維等に合成樹脂を含浸させたプリプレグから形成される先細り筒状部材であって、内部に釣糸通路を有する。そして、第１中竿２〜穂先竿５は穂先側から順次竿元側の竿体の内部に挿入され出し入れ自在になっており、いわゆる振出形式で連結されている。
【００１２】
元竿１は、外周面に形成されリール７を脱着自在に装着可能なリールシート８とを有し、竿元側端部には尻栓１０が脱着自在に装着されている。また、元上竿２には、穂先側外周面に形成されリール７からの釣糸Ｌを竿体内部に導入する釣糸導入孔９が形成されており、釣糸導入孔９を覆うように配置された釣糸ガイドＧが固定されている。穂先竿５の穂先側端部にはトップガイド６が取り付けられており、リール７からの釣糸Ｌは釣糸ガイドＧ及び釣糸導入孔９を通り釣糸通路に導かれて、穂先側のトップガイド６より外部へ導かれる。
【００１３】
図２及び図３に示すように、元竿１は、やや先細りのテーパが形成された筒状部材であり、竿元側端部内周面には内周側にネジ山が形成された筒状の雌ネジ部材２０が取り付けられている。この雌ネジ部材２０は元竿１内に挿入され内周面にネジ山が形成されたネジ部分２０ａとネジ部分２０ａより大径に形成され元竿１の竿元側端面に張り出したフランジ部２０ｂとを有している。この雌ネジ部材２０はネジ部分２０ａが元竿１内に挿入されフランジ部２０ｂが元竿１の竿元側端部に当接した状態で、接着剤等によって固定されている。
【００１４】
図２〜図４に示すように、尻栓１０は、雄ネジ部１１と、雄ネジ部１１の竿元側に雄ネジ部１１より小径に形成された首部１２と、首部１２の竿元側に連続して設けられ外径が元竿１の竿元側外周面とほぼ一致するネジ頭部１３とを有している。また、首部１２には首部１２が貫通した状態でリング１４が配置される。雄ネジ部１１は雌ネジ部材２０のネジ部分２０ａに螺合可能な部分である。そして、この雄ネジ部１１に一体的に首部１２は形成されている。首部１２はねじ山が設けられていない柱状の部分である。また、ネジ頭部１３は一端面に首部１２が挿入され固定される固定孔１３ａを有する円筒型部材である。釣人が摘んで尻栓１０を回転させる部分であり、外周側面には滑止溝１３ｂが周方向全周に形成されている。このネジ頭部１３はリング１４を首部１２に挿通させた後に首部１２の端部を固定孔１３ａに挿入させた状態で、首部１２に接着等によって固定される。
【００１５】
図４に詳しく示すように、リング１４は、アルミニウム，ステンレス，スチールまたはこれらの合金等の金属やABS樹脂等の合成樹脂から成るリング状部材である。必要に応じて弾性を有するゴム材を利用してもよい。その側面外径はネジ頭部１３側から雄ネジ部１１側にかけて徐々に小径化しテーパーが形成されている。詳しくは、リング１４の雄ネジ部１１側外径は雄ネジ部１１の外径より小径であり、ネジ頭部１３側外径は雌ネジ部材２０のフランジ部２０ｂの内径より大径である。このリング１４の軸方向長さは尻栓１０の軸方向長さに依存しており様々な大きさを採用可能である。
【００１６】
このように構成された中通し竿の尻栓１０においては、尻栓１０を元竿１に取り付ける場合、雌ネジ部材２０に雄ネジ部１１を螺合させつつ尻栓１０を元竿１内部に挿入してゆくと、雌ネジ部材２０のフランジ部２０ｂに徐々にリング１４外周面が当接してゆく。リング１４は首部１２上に配置されており安定した状態で元竿１・尻栓１０間へくい込んでゆく。このリング１４の雄ネジ部１１側外径は雄ネジ部１１の外径より小径であり、ネジ頭部１３側外径は雌ネジ部材２０のフランジ部２０ｂの内径より大径である。従って、尻栓１０の雌ネジ部材２０に対する螺合の程度に応じてリング１４の元竿１・尻栓１０間へのくい込み度合いは増大する。即ち、尻栓１０の雌ネジ部材２０への螺合の程度に応じて徐々に尻栓１０の回転トルクは増大する。
【００１７】
［第２実施形態］
以下、本発明の第２実施形態について図面を参照しつつ説明する。
図５に示すように、元竿１は、やや先細りのテーパが形成された筒状部材であり、竿元側端部内周面には内周側にネジ山が形成された筒状の雌ネジ部材２０が取り付けられている。第１実施形態と同様に、この雌ネジ部材２０は元竿１内に挿入され内周面にネジ山が形成されたネジ部分２０ａとネジ部分２０ａより大径に形成され元竿１の竿元側端面に張り出したフランジ部２０ｂとを有している。
【００１８】
尻栓３０は、雄ネジ部３１と、雄ネジ部３１の竿元側に連続して設けられ外径が元竿１の竿元側外周面とほぼ一致するネジ頭部３３とを有している。そして、雄ネジ部３１が貫通した状態でリング３４が配置される。
リング３４は、第１実施形態と同様に、アルミニウム，ステンレス，スチールまたはこれらの合金等の金属やABS樹脂等の合成樹脂から成るリング状部材である。その側面外径はネジ頭部３３側から雄ネジ部３１側にかけて徐々に小径化しテーパーが形成されている。詳しくは、リング３４のリング内径は雄ネジ部３１の外径とほぼ一致しており、かつ雄ネジ部３１側外径は雄ネジ部３１の外径よりやや大きく、ネジ頭部３３側外径は雌ネジ部材２０のフランジ部２０ｂの内径より大径である。
【００１９】
このように構成された中通し竿の尻栓３０においては、尻栓３０を元竿１に取り付ける場合、雌ネジ部材２０に雄ネジ部３１を螺合させつつ尻栓３０を元竿１内部に挿入してゆくと、雌ネジ部材２０のフランジ部２０ｂに徐々にリング３４外周面が当接してゆく。リング３４は元竿１・尻栓３０間へくい込んでゆく。そして、尻栓３０の雌ネジ部材２０に対する螺合の程度に応じてリング３４の元竿１・尻栓３０間へのくい込み度合いは増大する。即ち、尻栓３０の雌ネジ部材２０への螺合の程度に応じて徐々に尻栓３０の回転トルクは増大する。この結果、尻栓３０を取り付けやすく、また取付後、尻栓３０が多少回転してもその回転トルクは急激に低化することなく緩みにくい。
【００２０】
［他の実施形態］
（ａ）元竿１の竿元側内周面に直接ネジ山を形成してもよい。
（ｂ）上記各実施の形態では中通し竿の場合を例示しているが、本発明は釣竿の種類によって限定されるものではない。従って、渓流竿，船竿等様々な釣竿の適応できる。
【００２１】
【発明の効果】
本発明にかかる尻栓構造によれば、尻栓を取り付けやすくまた尻栓が緩みにくい。
【図面の簡単な説明】
【図１】本発明の第１実施形態を採用した釣竿の全体図。
【図２】図１の竿元側付近の拡大図。
【図３】図１の竿元側付近の拡大断面図。
【図４】リングの拡大図。
【図５】本発明の第２実施形態を採用した中通し竿の竿元側付近の拡大図断面図。
【図６】従来の釣竿の竿元側拡大断面図。
【図７】図６のリングの拡大図。
【符号の説明】
１  元竿
２  元上竿
１０，３０  尻栓
１１，３１  雄ネジ部
１２  首部
１３，３３  ネジ頭部
１４，３４  リング
２０  雌ネジ部材
【図１】
0004321834.tif 000002
【図２】
0004321834.tif 000003
【図３】
0004321834.tif 000004
【図４】
0004321834.tif 000005
【図５】
0004321834.tif 000006
【図６】
0004321834.tif 000007
【図７】
0004321834.tif 000008